(57)【要約】【課題】  従来の送受信機は、複数の受信装置にデータを送信する際に、伝送誤りが発生すると、受信不良の受信装置が正常に受信完了するまで次のデータの送信を行うことができず、全部のデータを送信するまで時間がかかってしまい、送信の効率が悪いという問題点があり、回線状態に応じて送信側のユーザが送信方法を選択でき、送信効率を向上させる送受信機を提供する。【解決手段】  変復調部２の制御部２４に、再送タイムアウトになった場合、次のブロックの送信に移行する第１の送信制御手段と、再送タイムアウトになると回線解除して送信を打ち切る第２の送信制御手段と、全てのブロックを送信した後に電文検査要求を送信する第３の送信制御手段とを設け、キー入力部３３からいずれかの送信制御手段を選択可能とした送受信機である。【選択図】        図２
2006352199.tif 000002
【特許請求の範囲】
【請求項１】
無線信号の送受信を行う送受信機と、前記送受信機における送受信の制御を行う変復調器と、ユーザが指示を入力するキー入力部と、データを表示する表示部とを備えた無線送受信機であって、
前記変復調器が、
複数の受信装置に送信データのデータブロックを送信し、当該データブロックに対して正常に受信できなかった受信装置があった場合、当該データブロックを再送した再送回数が規定回数未満であれば前記データブロックを再送し、前記再送回数が前記規定回数以上であれば次のデータブロックの送信に移行する第１の送信制御手段と、
複数の受信装置に送信データのデータブロックを送信し、当該データブロックに対して正常に受信できなかった受信装置があった場合、当該データブロックの再送回数が規定回数以上であれば回線を解除して、正常に受信されなかった旨を前記表示部に表示する第２の送信制御手段と、
受信装置に送信データのデータブロックを全て送信してから、正常に受信したか否かを確認する電文検査要求を送信し、前記電文検査要求に対応して正常に受信したか否かを応答する電文検査結果を前記複数の受信装置の各々から受信して、前記受信装置毎に送信の結果を前記表示部に表示する第３の送信制御手段とを備えた変復調器であり、
前記キー入力部が、前記第１〜第３の送信制御手段のいずれかを選択するキー入力部であることを特徴とする無線送受信機。
【発明の詳細な説明】
【技術分野】
【０００１】
本発明は、無線回線を介してデータの送受信を行う無線送受信機に係り、特に伝送エラーが発生した場合のデータ再送の方法が異なるデータ送信方法を複数種類備え、いずれの送信方法を用いて送信するかを、送信側ユーザが選択可能とし、データ送信の効率を向上させることができる無線送受信機に関する。
【背景技術】
【０００２】
従来の無線伝送路を用いてデータ（例えばパケット）を送受信する無線送受信機では、伝送エラーを補償するためにデータの再送が広く行われている。
従来のデータ再送（自動再送）を含むデータ送信方法について説明する。
送信側の無線送受信機（以下、送信装置）は、データを送信すると、それに続いて当該データが正常に受信されたか否かを確認するために「電文検査要求」を送信し、受信側の無線送受信機（以下、受信装置）では電検査要求に応じて受信結果として正常に受信できたか否かを示す「電文検査結果」を送信装置に返信する。そして、送信装置は返信された電文検査結果を参照して、正常に受信できなかった場合当該データを再度送信する。
【０００３】
受信装置が複数ある場合、送信装置は、各々の受信装置に対してデータと電文検査要求を送信し、各々の受信装置から応答された電文検査結果に基づいて、正常に受信できなかった受信装置があれば、当該データを全ての受信装置又は正常に受信できなかった受信装置に対して再送する。そして、全ての受信装置において正常に受信が完了するまで再送が繰り返される。このようにして従来のデータ送信方法が行われるようになっていた。
【０００４】
尚、パケットデータの伝送を行う伝送装置の従来技術としては、平成１０年３月１０日公開の特開平１０−７０５２３号「パケット伝送方法及び装置」（出願人：国際電気株式会社、発明者：横川英二）がある。
この従来技術は、伝送エラーが発生した場合に、受信側でエラー状態を送信順序番号に対応したビットマップにした受信エラーマップを作成して確認応答を送信し、応答を受け取った送信側は受信エラーを見てエラーが発生したパケットのみを抽出して再送するものであり、パケットの重複再送を防ぎ、効率よくパケットデータを伝送することができるものである。
【０００５】
【特許文献１】特開平１０−７０５２３号公報（第３−５頁）
【発明の開示】
【発明が解決しようとする課題】
【０００６】
しかしながら、従来の無線送受信機では、複数の受信装置に同時にデータを送信する際に、伝送誤りが発生した場合には、受信不良の受信装置が正常に受信完了するまで次のデータの送信を行うことができないため、全部のデータを送信するまでに時間がかかってしまい、送信の効率が悪いという問題点があった。
【０００７】
本発明は上記実状に鑑みて為されたもので、データ送信の効率を向上させることができる無線送受信機を提供することを目的とする。
【課題を解決するための手段】
【０００８】
上記従来例の問題点を解決するための本発明は、無線送受信機において、無線信号の送受信を行う送受信機と、送受信機における送受信の制御を行う変復調器と、ユーザが指示を入力するキー入力部と、データを表示する表示部とを備えた無線送受信機であって、変復調器が、複数の受信装置に送信データのデータブロックを送信し、当該データブロックに対して正常に受信できなかった受信装置があった場合、当該データブロックを再送した再送回数が規定回数未満であれば前記データブロックを再送し、再送回数が規定回数以上であれば次のデータブロックの送信に移行する第１の送信制御手段と、複数の受信装置に送信データのデータブロックを送信し、当該データブロックに対して正常に受信できなかった受信装置があった場合、当該データブロックの再送回数が規定回数以上であれば回線を解除して、正常に受信されなかった旨を表示部に表示する第２の送信制御手段と、受信装置に送信データのデータブロックを全て送信してから、正常に受信したか否かを確認する電文検査要求を送信し、電文検査要求に対応して正常に受信したか否かを応答する電文検査結果を複数の受信装置の各々から受信して、受信装置毎に送信の結果を表示部に表示する第３の送信制御手段とを備えた変復調器であり、キー入力部が、前記第１〜第３の送信制御手段のいずれかを選択するキー入力部であることを特徴としている。
【発明の効果】
【０００９】
本発明によれば、変復調器が、複数の受信装置に送信データのデータブロックを送信し、当該データブロックに対して正常に受信できなかった受信装置があった場合、当該データブロックを再送した再送回数が規定回数未満であれば前記データブロックを再送し、再送回数が規定回数以上であれば次のデータブロックの送信に移行する第１の送信制御手段と、複数の受信装置に送信データのデータブロックを送信し、当該データブロックに対して正常に受信できなかった受信装置があった場合、当該データブロックの再送回数が規定回数以上であれば回線を解除して、正常に受信されなかった旨を表示部に表示する第２の送信制御手段と、受信装置に送信データのデータブロックを全て送信してから、正常に受信したか否かを確認する電文検査要求を送信し、電文検査要求に対応して正常に受信したか否かを応答する電文検査結果を複数の受信装置の各々から受信して、受信装置毎に送信の結果を表示部に表示する第３の送信制御手段とを備えた変復調器であり、キー入力部が、前記第１〜第３の送信制御手段のいずれかを選択するキー入力部である無線送受信機としているので、回線状態があまり良くなければ第１又は第２の送信制御手段を選択して無駄な再送に時間を費やすのを防ぎ、回線状態が良ければ第３の送信制御手段を選択して、電文検査要求及び電文検査結果の送受信に要する時間を大幅に削減することができ、回線状態等に応じて送信側のユーザが適切な送信制御手段を選択することにより、データ送信の効率を向上できる効果がある。
【発明を実施するための最良の形態】
【００１０】
本発明の実施の形態について図面を参照しながら説明する。
本発明の無線送受信機は、複数の異なる再送方式を備えたデータ送信方法を実現する送信制御手段を設け、回線状態等に応じて送信側のユーザが任意の再送方式を選択可能としたものであり、送信時間の短縮を図り、複数の受信装置にデータを送信する際の送信効率を向上させることができるものである。
【００１１】
図１は、本発明の実施の形態に係る無線送受信機（本装置）を用いた無線送受信システムの概略構成図である。
図１に示すように、本発明の実施の形態に係る無線送受信機１０ａ及び１０ｂは、無線信号の送信及び受信を行う送受信機１と、送信データの変調及び受信データの復調を行う変復調器２と、ユーザがキー入力操作を行ったりデータの表示を行う操作端末部３とから構成されている。
【００１２】
そして、無線送受信機１０ａと無線送受信機１０ｂとの間で無線によるデータ送受信を行う場合、送信側の無線送受信機の操作端末部３から入力されたデータ（例えばメールデータ）を変復調機２で変調し、送受信機１から無線信号として送信し、受信側の無線送受信機の送受信機１で受信した無線信号を変復調機２で復調し、操作端末部３で表示するようになっている。
また、１台の送信側の無線送受信機（送信装置）から複数の受信側の無線送受信機（受信装置）に対して一斉に同一のデータを送信することも可能である。
【００１３】
次に、本発明の実施の形態に係る無線送受信機の具体的な構成について図２を用いて説明する。図２は、本装置の構成ブロック図である。
図２に示すように、本装置（無線送受信機１０）は、送受信機１と、変復調器２と、操作制御部３とから構成され、更に、送受信機１は送信機１１と、受信機１２とから構成されている。
また、操作端末部３は、操作制御部３１と、表示部３２と、キー入力部３３とを備えている。
変復調器２は、変調部２１と、復調部２２と、ＲＯＭ２３と、制御部２４と、ＲＡＭ２５と、ＲＳ−２３２Ｃレベル変換部２６とから構成されている。
【００１４】
各構成部分について具体的に説明する。
送受信機１の送信機１１は、変復調器２から入力された信号を無線回線へ出力するものである。
送受信機１の受信機１２は、無線回線を介して送信された信号を受信して変復調器２に出力するものである。
【００１５】
変復調器２の変調部２１は、制御部２４から入力された送信データを、指定された変調方式で変調するものである。
復調部２２は、送受信機１の受信機１２から入力された受信データを、変調方式に応じた復調方式で復調するものである。
【００１６】
ＲＯＭ２３は、変復調器２の制御部２４における処理プログラムを格納している記憶部である。特に、本装置のＲＯＭ２３は、後述する制御部２４の第１〜第３の送信処理手段に対応するデータ送信の処理プログラムを備えている。
【００１７】
制御部２４は、変復調器２全体の制御に伴う処理を行うものであり、ＭＰＵ（Micro Processor Unit）等により構成されている。制御部２４は、操作端末部３や送受信機２からのデータに応じてＲＯＭ２３に記憶されているプログラムを起動して、無線送受信機間のシリアルデータ送受信の制御を行う第１、第２、第３の送信制御手段を備えている。
第１、第２、第３の送信制御手段は、後述するように、再送方式が異なる送信処理を行うものであり、各送信処理手段はいずれも、ＲＯＭ２３に格納されている対応するプログラムをＭＰＵのメモリ上で展開して、特定の処理を行う処理手段である。
【００１８】
そして、本装置では、上記３種類の送信制御手段によって実現される３種類の送信方法の中から、操作端末部３によって指定されＲＡＭ２４に保持されている送信方法に対応する送信制御手段の処理プログラムを起動して、ユーザによって指定された送信方法に応じたデータ送信を行うものである。
【００１９】
ＲＡＭ２５は、制御部２４の処理の途中で必要なデータを一時的に格納したり、各種設定のデータを記憶するものである。本装置のＲＡＭ２５では、操作端末部３からユーザによって指定された送信方法を記憶している。
【００２０】
また、ＲＳ−２３２Ｃレベル変換部２６は、操作端末部３と制御部２４との間のレベル変換を行うインタフェースである。
【００２１】
次に、本装置のデータ送信方法について説明する。
本装置は、従来の無線送受信機と同様に操作端末部３から入力されたデータを送信するものであるが、上述したように再送方式の違いによって３通りの異なる送信制御手段を備え、その内どの送信制御手段を選択するか、つまり、どの送信方法で送信するかは送信側のユーザが任意に設定／変更可能となっている。ここでは、第１〜第３の送信方法（送信のタイプ）が設定可能となっている。尚、請求項に記載した「送信制御手段の選択」は、実施例における「送信方法の選択」に相当するものである。
【００２２】
送信方法の設定／変更方法としては、例えば、操作端末部３のキー入力部３３からの操作によって、機能メニューを表示部３２に表示させ、その中から送信方法を選択する機能を指定し、更に所望の送信方法を指定するようになっている。指定された送信方法は、制御部２４によってＲＡＭ２５の特定のエリアに記憶されるものである。尚、予めいずれかの送信方法をデフォルトとしてＲＡＭ２５に記憶しておいてもよい。
【００２３】
各データ送信方法について具体的に説明する。
図３は、本装置の第１の送信方法のシーケンス説明図である。ここでは、説明を簡単にするために受信側の無線送受信機を２台としている。
第１の送信方法は、第１の送信制御手段によって実現されるものであり、予め送信装置に設定された一定回数以上の再送を行っても、正常に受信できなかった（以下、「再送タイムアウト」という）受信装置があれば、当該データの送信を打ち切って次のデータの送信に移行する送信方法である。
【００２４】
図３に示すように、送信側の無線送受信機の操作端末部（図では「送信側操作端末部」と記載）から送信データが入力されると、送信側の無線送受信機の変復調器（図では「送信側変復調器」と記載）は、指定された２台の受信装置宛に送信データの１ブロック目を送信し、受信側の２台の無線送受信機の変復調器（図では「受信側変復調器（１）」及び「受信側変復調器（２）」と記載）はそれを受信する。
【００２５】
続いて、送信側変復調器は、送信データを正常に受信したか否かを確認するための電文検査要求を送信し、受信側変復調器（１）及び受信側変復調器（２）はこれを受信して、１ブロック目の送信データを正常に受信できたか否かを示す電文検査結果を返信する。ここでは、受信側変復調器（１）は正常に受信できたため「ＯＫ」を応答し、受信側変復調器（２）は正常に受信できなかったため「ＮＧ」を応答したことを示している。
【００２６】
そして、送信側変復調器は、電文検査結果を受信すると結果を確認し、「ＮＧ」があれば、再送を規定回数以上行ったか否かを判定するタイムアウト判定を行う。規定回数は、操作端末部３からの入力又はデフォルトによって予めＲＡＭ２５に設定されており、図３の例では「２」としている（図示せず）。そして、ここではまだ１度も再送を行っていないので、再送回数は規定回数未満であり、送信側変復調器は受信側変復調器（１）及び受信側変復調器（２）に１ブロック目のデータを再送する。
【００２７】
そして、１回目の送信時と同様に電文検査要求、電文検査結果の送受信を行って、再度「ＮＧ」があればタイムアウト判定を行い、判定結果が「ＯＫ」であれば更に当該データの再送を行う。
【００２８】
そして、第１の送信方法の特徴として、規定回数（ここでは２回）以上の再送を行った場合、つまり、再送タイムアウト判定が「ＮＧ」となった場合、電文検査結果に「ＮＧ」があったとしてもそれ以上の再送は行わず、次のデータ（２ブロック目のデータ）を送信するものである。
このように、本装置の第１の送信制御手段は、再送回数の上限を設けて、それ以上は再送を行わず次のデータを送信するようにしているので、受信不良の受信装置のために送信時間が無駄に延長されるのを防ぎ、全てのデータを送信するのにかかる時間を短縮することができるものである。また、データの重要度等に応じて規定回数を少なく設定すれば、より効率を向上させることができるものである。
【００２９】
ここで、本装置の第１の送信制御手段の処理について図４を用いて説明する。図４は、本装置の送信側変復調器の制御部における第１の送信制御手段の処理を示すフローチャート図である。
図４に示すように、第１の送信制御手段は、操作端末部３からデータ送信の指示が入力されると、内部のワークエリアに記憶している再送回数を０に設定し（１００）、１ブロック目のデータを受信側の送信する（１０２）。そして、第１の送信制御手段は、電文検査要求を送信し（１０４）、電文検査結果を受信して確認する（１０６）。
【００３０】
そして、第１の送信制御手段は、受信した電文検査結果が全て「ＯＫ」であるかどうかを判断し（１０８）、全て「ＯＫ」であった場合（Ｙｅｓの場合）には、処理１２０に移行して、入力された送信データの送信を全て終了したかどうかを判断し（１２０）、全て終了した場合には処理を終わる。
【００３１】
また、送信データの送信を全て終了していない場合には、第１の送信制御手段は、処理１００に戻って次のデータについて同様の処理を繰り返す。
【００３２】
処理１０８において、電文検査結果が全て「ＯＫ」ではない場合には、第１の送信制御手段は、記憶されている再送回数が規定回数未満であるか否かを判断する（１１０）。再送回数が規定回数未満であれば（Ｙｅｓの場合）、第１の送信制御手段は、記憶している再送回数をインクリメント（＋１）して（１１２）、処理１０２に移行して同じデータを再送する。
【００３３】
また、処理１１０で再送回数が規定回数以上となっている場合には（Ｎｏの場合）、第１の送信制御手段は、当該データの送信を終了して処理１２０に移行し、次のデータの送信に移る。このようにして本装置の第１の送信制御手段による第１の送信方法が行われるものである。
【００３４】
次に、本装置の第２の送信方法について図５を用いて説明する。図５は、本装置の第２の送信方法のシーケンス説明図である。
本装置の第２の送信方法は、第２の送信制御手段によって実現されるものであり、複数の受信装置の内、一つでも再送タイムアウトになったものがあれば、その時点で回線を切断して送信を終了し、送信を中断した旨を送信側の操作端末部に表示するものである。
図５に示すように、本装置の第２の送信方法は、図３に示した第１の送信方法と同様に、送信側変復調器が、１つのデータを送信する毎に電文検査要求を送信し、受信側変復調器がそれに応答して電文検査結果を返信するようになっている。
【００３５】
そして、電文検査結果が「ＮＧ」のものがあると、送信側変復調器は、再送回数が規定回数未満であるか否かの再送タイムアウト判定を行って、判定結果が「ＯＫ」であれば更に当該データの再送を行う。ここで、再送タイムアウト判定の判定結果が「ＮＧ」であれば、送信側変復調器は、受信側変復調器（１）及び受信側変復調器（２）に対して回線解除を送信して回線を切断し、送信を中断したことを送達結果として操作端末部３の表示部３２に表示する。尚、ここで、「回線を解除する」とは、回線を切断して送信を停止することを意味している。
【００３６】
送信側のユーザは、この送達結果を見て、データの送信が正常に行われなかったことを認識し、改めて操作端末部３から送信の指示を入力する。その際、伝送速度がより遅い変調方式を選択するようにしてもよい。
再送タイムアウトが発生する場合には、伝送路状況がかなり悪いとか、受信機側に故障が発生しているといったことが考えられるが、当該伝送速度のまま送信データのブロック毎に再送を繰り返しつつ最後まで送信処理を継続すると、甚だ時間がかかってしまう。第２の送信方法は、このような無駄な再送を防ぐものであり、ユーザに現状の送信方法では正常に送れないおそれがあることを認識させることにより、伝送速度を遅くする等の対処を促すことができるものである。
【００３７】
次に、本装置の第２の送信制御手段の処理について図６を用いて説明する。図６は、本装置の送信側変調器における第２の送信制御手段の処理を示すフローチャート図である。
図６に示すように、第２の送信制御手段の処理における処理２００〜処理２１２は、図４に示した第１の送信制御手段の処理と同一であるので、説明は省略する。
そして、処理２１０において、再送回数が規定回数未満でなかった場合（Ｎｏの場合）、つまり規定回数以上再送した場合、第２の送信制御手段は、回線解除を送信し（２２０）、データの送信を中断した旨の送達結果を表示して（２２２）、処理を終わる。このようにして第２の送信制御手段の処理が行われるものである。
【００３８】
次に、本装置の第３の送信方法について図７を用いて説明する。図７は、本装置の第３の送信方法のシーケンス説明図である。
本装置の第３の送信方法は、第３の送信制御手段によって実現されるものであり、データの自動再送を行わない方法である。
第１及び第２の送信制御手段は、送信データのデータブロックを送信する毎に電文検査要求を送信していたのに対して、図７に示すように、本装置の第３の送信方法は、送信側の変復調器（第３の送信制御手段）が、全てのデータブロック（ここではｎブロック）を連続して送信し、全てのデータを送信するまで電文検査要求を送信しない。
【００３９】
そして、送信側変復調器（第３の送信制御手段）は、全てのデータの送信が完了した時点で１回だけ電文検査要求を送信する。受信側変復調器（１）及び受信側変復調器（２）は、電文検査要求に応じて、全てのデータを正常に受信したか否かを示す電文検査結果を送信する。ここで、各受信装置から送信される電文検査結果には、各々の受信装置を示す識別データが含まれているものである。
【００４０】
送信側変復調器（第３の送信制御手段）は、電文検査結果を受信すると、識別データと正常受信か否かを示すデータに基づいて、操作端末部３の表示部３２に、送達結果として各受信装置毎に正常に受信したか否かを表示するようになっている。
もし正常に受信できなかった受信装置があった場合には、送信側のユーザが、当該受信装置に対して個別に改めて送信する指示を入力して、当該データについて再度送信を行うようにすればよい。
【００４１】
このように、第３の送信制御手段は、送信データの全てのブロックを送信し、全データを送信した後に電文検査要求を送信するようにしているので、ブロック毎に必要であった電文検査要求及び電文検査結果の送受信に要する時間を不要とし、データ送信の効率を大幅に向上させることができるものである。
第３の送信制御手段によって実現される第３の送信方法は、回線状態が良好で伝送誤りが少ないことが予想される場合に有効な送信方法である。
【００４２】
本発明の実施の形態に係る無線送受信機によれば、変復調器２の制御部２４に、それぞれ異なる第１〜第３の送信方法でのデータ送信を制御する第１の送信制御手段、第２の送信制御手段、第３の送信制御手段を設け、第１の送信制御手段が、送信データのデータブロックを送信すると電文検査要求を送信し、電文検査結果で正常に受信できなかった受信装置があった場合、当該データブロックを再送した再送回数が規定回数以上か否かを判断し、再送回数が規定回数未満であれば再送し、規定回数以上であれば次のデータブロックの送信に移行する第１の送信方法を実現し、第２の送信制御手段が、送信データのデータブロックを送信すると電文検査要求を送信し、電文検査結果で正常に受信できなかった受信装置があった場合、当該データブロックを再送した再送回数が規定回数以上か否かを判断し、規定回数以上であれば回線を解除して、正常に受信されなかった旨の送達結果を表示部３２に表示する第２の送信方法を実現し、第３の送信制御手段が、送信データのデータブロックを全て送信してから電文検査要求を送信し、各々の受信装置毎に正常に受信されたか否かを示す送達結果を表示部３２に表示する第３の送信方法を実現するものであり、当該３種類の送信制御手段の内、送信側の無線送受信機のキー入力部３３から選択された送信方法をＲＡＭ２５に記憶しておき、データ送信時に、ＲＡＭ２５に記憶された送信方法に対応する送信制御手段でデータ送信を制御する送受信機としており、送信側のユーザが任意に送信方法を選択することができ、伝送路の状態が悪い場合や受信側の送受信機の状態が悪い場合には、第１又は第２の送信方法を選択して、無駄な再送を繰り返すことによって送信時間が長引くのを防ぐことができると共に、ユーザは、伝送速度を変更する等の対策を施してデータを確実に送信することができ、また、伝送路の状態が良い場合には、第３の方法を選択してデータブロック毎に電文検査要求及び電文検査結果を送受信する時間を不要とし、データ送信に要する時間を大幅に短縮してデータ送信の効率を向上させることができる効果があり、伝送路の状態に応じて送信方法を選択でき、効率よく且つ確実にデータを送信できる効果がある。
【００４３】
尚、本実施の形態に係る無線送受信機は、受信側の装置が複数の場合に特に顕著にデータ送信の効率を向上させるものであり、そのような場合を例として説明したが、受信側の装置が１台であっても同様に送信時間を短縮でき、送信の効率を向上させることができる効果がある。
【産業上の利用可能性】
【００４４】
本発明は、伝送エラーが発生した場合のデータ再送の方法が異なるデータ送信方法を複数種類備え、いずれの送信方法を用いて送信するかを、送信側ユーザが選択可能とし、データ送信の効率を向上させることができる無線送受信機に関する。
【図面の簡単な説明】
【００４５】
【図１】本発明の実施の形態に係る無線送受信機（本装置）を用いた無線送受信システムの概略構成図である。
【図２】本装置の構成ブロック図である。
【図３】本装置の第１の送信方法のシーケンス説明図である。
【図４】本装置の送信側変復調器の制御部における第１の送信制御手段の処理を示すフローチャート図である。
【図５】本装置の第２の送信方法のシーケンス説明図である。
【図６】本装置の送信側変調器における第２の送信制御手段の処理を示すフローチャート図である。
【図７】本装置の第３の送信方法のシーケンス説明図である。
【符号の説明】
【００４６】
１…送受信機、  ２…変復調器、  ３…操作端末部、  １１…送信機、  １２…受信機、  ２１…変調部、  ２２…復調部、  ２３…ＲＯＭ、  ２４…制御部、  ２５…ＲＡＭ、  ２６…ＲＳ−２３２Ｃレベル変換部、  ３１…操作制御部、  ３２表示部…、  ３３…キー入力部
【図１】
2006352199.tif 000003
【図２】
2006352199.tif 000004
【図３】
2006352199.tif 000005
【図４】
2006352199.tif 000006
【図５】
2006352199.tif 000007
【図６】
2006352199.tif 000008
【図７】
2006352199.tif 000009